【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  供給されたシートを複数枚重ねて保持するシート保持手段と、
前記シート保持手段によって保持されたシート又は前記シート保持手段を素通りしたシートが積載されて、前記シートに処理が施される第１シート積載手段と、
前記第１シート積載手段よりシート搬送方向の下流側に配設されてシートが積載される第２シート積載手段と、
前記第１シート積載手段に積載された前記シートを搬送して前記第２シート積載手段に排出する第１シート搬送手段と、
前記第１シート積載手段に積載された前記シートを前記第２シート積載手段の方へ搬送する第２シート搬送手段と、を備え、
前記第１シート搬送手段は、前記第２シート搬送手段が前記第１シート積載手段に積載されている前記シートを前記第２シート積載手段側に所定量搬送した後、前記シート保持手段に保持されたシートと前記第１シート積載手段に積載されたシートとを同時に搬送して、前記第１シート積載手段に積載されたシートを前記第２シート積載手段に排出することを特徴とするシート処理装置。
【請求項２】  前記第２シート搬送手段は、前記第１シート積載手段に積載されたシートを、前記シートの下流端部が前記シート保持手段に保持されたシートの下流端部より下流側に所定量突出するまで搬送することを特徴とする請求項１に記載のシート処理装置。
【請求項３】  前記第２シート搬送手段は、前記第１シート積載手段に積載されたシートの搬送方向の後端を押して前記シートを搬送することを特徴とする請求項１又は２に記載のシート処理装置。
【請求項４】 前記シート保持手段は、保持した前記シートを搬送する保持シート搬送部を有し、前記保持シート搬送部と前記第１シート搬送手段とのシート搬送速度は、同一に設定されていることを特徴とする請求項１に記載のシート処理装置。
【請求項５】 前記保持シート搬送部と前記第１シート搬送手段は、シート搬送時にシート搬送速度が同一になるように、始動タイミングが設定されていることを特徴とする請求項４に記載のシート処理装置。
【請求項６】 前記第１シート搬送手段と前記第２シート搬送手段とのシート搬送速度は、同一に設定されていることを特徴とする請求項１乃至５のいずれか１項に記載のシート処理装置。
【請求項７】 前記第１シート搬送手段と前記第２シート搬送手段は、シート搬送時にシート搬送速度が同一になるように、始動タイミングが設定されていることを特徴とする請求項１乃至６のいずれか１項に記載のシート処理装置。
【請求項８】  シートに画像を形成する画像形成手段と、
前記画像形成手段によって画像を形成されたシートに処理を施すシート処理装置と、を備え、
前記シート処理装置は、請求項１乃至７のいずれか１項に記載のシート処理装置であることを特徴とする画像形成装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
【課題を解決するための手段】
上記目的を達成するため、本発明のシート処理装置は、供給されたシートを複数枚重ねて保持するシート保持手段と、前記シート保持手段によって保持されたシート又は前記シート保持手段を素通りしたシートが積載されて、前記シートに処理が施される第１シート積載手段と、前記第１シート積載手段よりシート搬送方向の下流側に配設されてシートが積載される第２シート積載手段と、前記第１シート積載手段に積載された前記シートを搬送して前記第２シート積載手段に排出する第１シート搬送手段と、前記第１シート積載手段に積載された前記シートを前記第２シート積載手段の方へ搬送する第２シート搬送手段と、を備え、前記第１シート搬送手段は、前記第２シート搬送手段が前記第１シート積載手段に積載されている前記シートを前記第２シート積載手段側に所定量搬送した後、前記シート保持手段に保持されたシートと前記第１シート積載手段に積載されたシートとを同時に搬送して、前記第１シート積載手段に積載されたシートを前記第２シート積載手段に排出するようになっている。
【手続補正４】
【補正対象書類名】明細書
【補正対象項目名】００１６
【補正方法】変更
【補正の内容】
【００１６】
上記目的を達成するため、本発明の画像形成装置は、シートに画像を形成する画像形成手段と、前記画像形成手段によって画像を形成されたシートに処理を施すシート処理装置と、を備え、前記シート処理装置は、上記シート処理装置である。
【手続補正５】
【補正対象書類名】明細書
【補正対象項目名】００２５
【補正方法】変更
【補正の内容】
【００２５】
感光体ドラム１１４に、形成された潜像は、さらに、図示しないトナー供給装置から供給されたトナーによってトナー像が形成される。カセット１１５には、紙あるいは、プラスチックフィルム等のシートである記録媒体が積載されている。シートは、記録信号に応じてカセット１１５から送り出されて、レジストローラ対１５０によって感光体ドラム１１４と転写器１１６との間へのタイミングをはかられてその間に進入する。そして、転写器１１６によって、感光体ドラム１１４上のトナー像がシートに転写される。トナー像が転写されたシートは定着器１１７を通過する間に定着器１１７の加熱加圧によって、トナー像を定着される。
【手続補正６】
【補正対象書類名】明細書
【補正対象項目名】００２９
【補正方法】変更
【補正の内容】
【００２９】
（シート処理装置）
図３は、シート処理装置の縦断面図である。図４は、各駆動系を示した縦断面図である。図８は、シート処理装置の制御ブロック図である。図９は、シート処理装置の動作を説明するための、フローチャートである。図１０乃至図１２は、経過時間に対する、後端アシスト１３４の移動速度と揺動ローラ対１２７のシート搬送速度との関係を示す図である。図１０は、後端アシスト１３４と揺動ローラ対１２７とでシート束を送り出す、単独束出しシーケンスの図である。図１１は、後端アシスト１３４と揺動ローラ対１２７との始動速度が異なる場合の束出し制御の図である。図１２は、後端アシスト、揺動ローラ対、第１排紙ローラ対でシート束とバッファユニット１４０に溜めたバッファシートとを同時に搬送する、同時束出しシーケンスの図である。
【手続補正７】
【補正対象書類名】明細書
【補正対象項目名】００４２
【補正方法】変更
【補正の内容】
【００４２】
このとき、上ローラ１２７ａは束出しモータＭ３（図４参照）によって、すでに矢印方向に回転している。さらに、処理トレイ１２９に接離自在な戻しローラ１３０も束出しモータＭ３（図４参照）によって、矢印方向に回転している。ところで、下ローラ１２７ｂは、１枚目は、束下クラッチＣＬ（図４参照）の作動によって駆動が連結されているが、２枚目以降はオフして空転するようになっている。これは、１枚目のシートを処理トレイ１２９に積載した後に、２枚目以降のシートが積載されるとき、下ローラ１２７ｂが回転していると、下ローラ１２７ｂが１枚目のシートもストッパ１３１側に押し込んで、１枚目のシートに皺を生じさせるおそれがあるためである。
【手続補正８】
【補正対象書類名】明細書
【補正対象項目名】００４３
【補正方法】変更
【補正の内容】
【００４３】
図１６（ａ）に示すように、揺動ローラ対１２７と戻しローラ１３０との回転によって、シートが右下がりの処理トレイ１２９上を矢印方向に滑り降りる。そのとき、後端アシスト１３４は、待機位置に待機している。そして、シートＰ１がストッパ１３１に当接する前に、上ローラ１２７ａがシートＰ１から離れる。シートＰ１は、戻しローラ１３０によってストッパ１３１に突き当てられる。その後、シートの幅整合が１対の整合板１４４，１４４（図５参照）によって行われる。
【手続補正９】
【補正対象書類名】明細書
【補正対象項目名】００６５
【補正方法】変更
【補正の内容】
【００６５】
図２７（ｂ）において、図１１，１２に示すように、第１排紙ローラ対１２６、揺動ローラ対１２７、後端アシスト１３４の起動時（Ｔ１）及び起動速度（１３２ｍｍ／ｓｅｃ）が同じで、同じ加速終了速度（５００ｍｍ／ｓｅｃ）に同じ時間（Ｔ２）に到達すれば、第１排紙ローラ対１２６、揺動ローラ対１２７、後端アシスト１３４は、シート束や、３枚のシートに引っ張り力や圧縮力を加えるようなことがなく、シート束を排出することができる。しかし、起動速度に差がある場合には、図９のＳ１０７におけるように、ΔＴの時間差を設けて、各々を始動するようにすると、シート束や、３枚のシートに引っ張り力や圧縮力を加えるようなことがなく、シート束を排出することができる。また、第１排紙ローラ対１２６や揺動ローラ対１２７によるローラの擦れ痕がシートに付いて、シート束の品質や、シート束の画像の品質を低下させるようなことがない。
【手続補正１０】
【補正対象書類名】明細書
【補正対象項目名】００６９
【補正方法】変更
【補正の内容】
【００６９】
仮に、図２９に示すように、下流端の突出長さが、上記長さＬより短いＬ１であるとすると、上流端の突出長さもＬ１になる。このため、揺動ローラ対１２７が、シート束Ｐをスタックトレイ１２８に排出してから、３枚のバッファシートを掴む長さが短くなり、３枚のバッファシートを掴み損なって処理トレイ１２９に確実に送り込むことができなくなることがある。したがって、揺動ローラ対１２７がバッファシートを確実に掴んで処理トレイ１２９に送り込むことができるようにするため、シート束をバッファローラに対して長さＬだけ突出させている。
【手続補正１１】
【補正対象書類名】明細書
【補正対象項目名】００７３
【補正方法】変更
【補正の内容】
【００７３】
また、このような現象は、シート束を確実に排出しようとして、シート束に対する揺動ローラ対１２７の挟圧力を高めると、発生しやすくなる。逆に挟圧力を弱めると、シート束を確実に搬送することができない。したがって、揺動ローラ対１２７の挟圧力の設定が困難である。
【手続補正１２】
【補正対象書類名】明細書
【補正対象項目名】００７４
【補正方法】変更
【補正の内容】
【００７４】
そこで、本実施形態のシート処理装置は、揺動ローラ対１２７のみでなく、後端アシスト１３４によってもシート束を排出するようになっているので、上記のようなシートに対する滑り回転をしたり、シート束を捩じったりすることがなくなり、シートやシート束に損傷を与えることなく、シート束を円滑、かつ速やかに排出することができる。また、揺動ローラ対１２７の挟圧力を厳密に管理することなく、シート束を排出することができるようになる。
【手続補正１３】
【補正対象書類名】明細書
【補正対象項目名】００７７
【補正方法】変更
【補正の内容】
【００７７】
また、シート処理装置は、処理トレイ１２９上のシート束の両側から整合する幅整合と後端整合とを行った後、そのシート束を綴じているが、綴じないで、幅整合と後端整合をしたままスタックトレイ１２８に排出するようにしてもよい。
以上のシート処理装置は、第１シート搬送手段である例えば揺動ローラ対１２７と第２シート搬送手段である例えば後端アシスト１３４とによって、第１シート積載手段である例えば処理トレイ１２９に積載されたシートを第２シート積載手段である例えばスタックトレイ１２８に排出するようになっているので、シートを確実に排出排出することができる。また、第１シート搬送手段と第２シート搬送手段とによってシートを搬送するので、シートを速やか、かつシート排出時間にばらつきが生じることなく排出することができて、処理時間の短い機器として提供することができる。
【手続補正１４】
【補正対象書類名】明細書
【補正対象項目名】００７９
【補正方法】削除
【補正の内容】
【手続補正１５】
【補正対象書類名】明細書
【補正対象項目名】００８１
【補正方法】変更
【補正の内容】
【００８１】
（実施態様１）  供給されたシートを複数枚重ねて保持するシート保持手段と、前記シート保持手段によって保持されたシート又は前記シート保持手段を素通りしたシートとが積載されて、前記シートに処理が施される第１シート積載手段と、前記第１シート積載手段よりシート搬送方向の下流側に配設されてシートが積載される第２シート積載手段と、前記第１シート積載手段に積載された前記シートを搬送して前記第２シート積載手段に排出する第１シート搬送手段と、前記第１シート積載手段に積載された前記シートを前記第２シート積載手段の方へ搬送する第２シート搬送手段と、を備え、前記第１シート搬送手段は、前記第２シート搬送手段が前記第１シート積載手段に積載されている前記シートを前記第２シート積載手段側に所定量搬送した後、前記シート保持手段に保持されたシートと前記第１シート積載手段に積載されたシートとを同時に搬送して、前記第１シート積載手段に積載されたシートを前記第２シート積載手段に排出することを特徴とするシート処理装置。
【手続補正１６】
【補正対象書類名】明細書
【補正対象項目名】００８２
【補正方法】変更
【補正の内容】
【００８２】
実施態様１のシート処理装置は、第２シート搬送手段が第１シート積載手段に積載されているシートである例えばシート束Ｐを第２シート積載手段側に所定量搬送した後、第１シート搬送手段が、シート保持手段である例えばバッファユニット１４０に保持されたシートである例えばバッファシートＰ１，Ｐ２，Ｐ３と第１シート積載手段に積載されたシートとを同時に搬送して、第１シート積載手段に積載されたシートを第２シート積載手段に排出するようになっているので、シート束が所定量搬送された分だけ、例えば長さＬだけ、シート束とバッファシートとの重なり面積が少なくなり、シート束をバッファシートから確実に分離して、第２シート積載手段に確実に排出積載することができる。また、第１シート搬送手段と第２シート搬送手段とによってシートを搬送するので、シートを速やか、かつシート排出時間にばらつきが生じることなく排出することができて、処理時間の短い機器として提供することができる。
【手続補正１７】
【補正対象書類名】明細書
【補正対象項目名】００８３
【補正方法】変更
【補正の内容】
【００８３】
（実施態様２）  前記第２シート搬送手段は、前記第１シート積載手段に積載されたシートを、該シートの下流端部が前記シート保持手段に保持されたシートの下流端部より下流側に所定量突出するまで搬送することを特徴とする実施態様１に記載のシート処理装置。
【手続補正１８】
【補正対象書類名】明細書
【補正対象項目名】００８４
【補正方法】変更
【補正の内容】
【００８４】
実施態様２のシート処理装置は、第１シート積載手段に積載されたシートを、該シートの下流端部がシート保持手段に保持されたシートの下流端部より下流側に所定量突出するまで搬送するようになっているので、第１シート搬送手段が第１シート積載手段に積載されたシートをシート保持手段に保持されたシートより先に搬送し終わるため、第１シート積載手段に積載されたシートを確実に第２シート積載手段に排出することができる。
【手続補正１９】
【補正対象書類名】明細書
【補正対象項目名】００８５
【補正方法】変更
【補正の内容】
【００８５】
また、実施態様２のシート処理装置は、第１シート積載手段に積載されたシートの下流端部がシート保持手段に保持されたシートの下流端部より下流側に所定量突出していることによって、シート保持手段に保持されたシートの下流端部が第１シート積載手段に積載されたシートの上流端部が上流側に突出していることになり、その分、第１シート搬送手段が、シート保持手段に保持されたシートを長時間保持していることができるようになって、シート保持手段に保持されたシートを第１シート積載手段に確実に積載することができる。
【手続補正２０】
【補正対象書類名】明細書
【補正対象項目名】００８６
【補正方法】変更
【補正の内容】
【００８６】
（実施態様３）  前記第２シート搬送手段は、前記第１シート積載手段に積載されたシートの搬送方向の後端を押して該シートを搬送することを特徴とする実施態様１又は２に記載のシート処理装置。
【手続補正２１】
【補正対象書類名】明細書
【補正対象項目名】００８７
【補正方法】変更
【補正の内容】
【００８７】
実施態様３のシート処理装置は、第１シート積載手段に積載されたシートの搬送方向の後端を押して該シートを搬送するようになっているので、シートの表面にローラを圧接回転させてシートを排出する場合と異なって、シートの表面に傷を付けることなく、確実に搬送することができる。
【手続補正２２】
【補正対象書類名】明細書
【補正対象項目名】００８８
【補正方法】変更
【補正の内容】
【００８８】
（実施態様４）  前記シート保持手段は、保持した前記シートを搬送する保持シート搬送部を有し、前記保持シート搬送部と前記第１シート搬送手段とのシート搬送速度は、同一に設定されていることを特徴とする実施態様１に記載のシート処理装置。
【手続補正２３】
【補正対象書類名】明細書
【補正対象項目名】００８９
【補正方法】変更
【補正の内容】
【００８９】
実施態様４のシート処理装置は、保持シート搬送部である例えば第１排紙ローラ対と第１シート搬送手段とのシート搬送速度を、同一に設定してあるので、シート保持シート手段に保持されたシートを保持シート搬送部と第１シート搬送手段とでシートを搬送するとき、保持シート搬送部と第１シート搬送手段とによって、シートが引っ張られて引き裂かれたり、逆に押されて縮んで皺になったりするようなことがなく、シートの品質を一定に保持することができる。
【手続補正２４】
【補正対象書類名】明細書
【補正対象項目名】００９０
【補正方法】変更
【補正の内容】
【００９０】
（実施態様５）  前記保持シート搬送部と前記第１シート搬送手段は、シート搬送時にシート搬送速度が同一になるように、始動タイミングが設定されていることを特徴とする実施態様４に記載のシート処理装置。
【手続補正２５】
【補正対象書類名】明細書
【補正対象項目名】００９１
【補正方法】変更
【補正の内容】
【００９１】
実施態様５のシート処理装置は、保持シート搬送部と第１シート搬送手段とのシート搬送速度が同一になるように、始動タイミングが設定されているので、保持シート搬送部と第１シート搬送手段とに始動速度の差が合っても、その差が解消されて、保持シート搬送部と第１シート搬送手段とでシートを搬送するとき、保持シート搬送部と第１シート搬送手段とによって、シートが引っ張られて引き裂かれたり、逆に押されて縮んで皺になったりするようなことがなく、シートの品質を一定に保持することができる。
【手続補正２６】
【補正対象書類名】明細書
【補正対象項目名】００９２
【補正方法】変更
【補正の内容】
【００９２】
（実施態様６）  前記第１シート搬送手段と前記第２シート搬送手段とのシート搬送速度は、同一に設定されていることを特徴とする実施態様１乃至５のいずれか１項に記載のシート処理装置。
【手続補正２７】
【補正対象書類名】明細書
【補正対象項目名】００９３
【補正方法】変更
【補正の内容】
【００９３】
実施態様６のシート処理装置は、第１シート搬送手段と第２シート搬送手段とのシート搬送速度を、同一に設定してあるので、第１シート搬送手段と第２シート搬送手段とでシートを搬送するとき、第１シート搬送手段と第２シート搬送手段とによって、シートが引っ張られて引き裂かれたり、逆に押されて縮んで皺になったりするようなことがなく、シートの品質を一定に保持することができる。
【手続補正２８】
【補正対象書類名】明細書
【補正対象項目名】００９４
【補正方法】変更
【補正の内容】
【００９４】
（実施態様７）  前記第１シート搬送手段と前記第２シート搬送手段は、シート搬送時にシート搬送速度が同一になるように、始動タイミングが設定されていることを特徴とする実施態様１乃至６のいずれか１項に記載のシート処理装置。
【手続補正２９】
【補正対象書類名】明細書
【補正対象項目名】００９５
【補正方法】変更
【補正の内容】
【００９５】
実施態様７のシート処理装置は、前記第１シート搬送手段と前記第２シート搬送手段とのシート搬送速度が同一になるように、始動タイミングが設定されているので、前記第１シート搬送手段と前記第２シート搬送手段とに始動速度の差が合っても、その差が解消されて、前記第１シート搬送手段と前記第２シート搬送手段とでシートを搬送するとき、前記第１シート搬送手段と前記第２シート搬送手段とによって、シートが引っ張られて引き裂かれたり、逆に押されて縮んで皺になったりするようなことがなく、シートの品質を一定に保持することができる。
【手続補正３０】
【補正対象書類名】明細書
【補正対象項目名】００９６
【補正方法】変更
【補正の内容】
【００９６】
（実施態様８）  シートに画像を形成する画像形成手段と、前記画像形成手段によって画像を形成されたシートに処理を施すシート処理装置と、を備え、前記シート処理装置は、実施態様１乃至７のいずれか１つに記載のシート処理装置であることを特徴とする画像形成装置。
【手続補正３１】
【補正対象書類名】明細書
【補正対象項目名】００９７
【補正方法】変更
【補正の内容】
【００９７】
実施態様８の画像形成装置は、シートを確実に排出することのできるシート処理装置を備えているので、生産性を高めることができる。
【手続補正３２】
【補正対象書類名】明細書
【補正対象項目名】００９８
【補正方法】変更
【補正の内容】
【００９８】
実施態様８の画像形成装置は、シートに傷を付けることの少ないシート処理装置を備えているので、高品質の画像を形成したシートを長期間提供することができる。
【手続補正３３】
【補正対象書類名】明細書
【補正対象項目名】符号の説明
【補正方法】変更
【補正の内容】
【符号の説明】
Ｄ      原稿
Ｐ      シート
Ｌ      シート束とバッファシートの突出長さの差
Ｓ１      入口パスセンサ
ＳＰ      スイッチバックポイント
ＣＬ      束下クラッチ
Ｍ１      共通搬送モータ
Ｍ２      入口搬送モータ
Ｍ３      束出しモータ
Ｍ４      後端アシストモータ
１００      複写機（画像形成装置）
１０１      装置本体
１０２      原稿給送装置
１０４      給送部
１１４      感光ドラム（画像形成手段）
１１９      シート処理装置
１２１      入口ローラ対
１２３ａ    上搬送ガイド板
１２３ｂ    下搬送ガイド板
１２４      バッファローラ
１２６      第１排紙ローラ対（保持シート搬送部）
１２６ａ    上第１排紙ローラ
１２６ｂ    下第１排紙ローラ
１２７      揺動ローラ対（第１シート搬送手段）
１２７ａ    上ローラ
１２７ｂ    下ローラ
１２８      スタックトレイ（第２シート積載手段）
１２９      処理トレイ（第１シート積載手段）
１３０      戻しローラ
１３１      ストッパ
１３２      ステイプラユニット
１３３      紙面検知レバー
１３４      後端アシスト（第２シート搬送手段）
１３５      後端押さえ
１３６      後端受け止め部
１３７      受け取りローラ対
１４０      バッファユニット（シート保持手段）
１４１      摩擦部材
２００      ＣＰＵ
２１０      操作部
２１１      フィニッシャ制御部
２１２      ＦＡＸ制御部
２２１      ＣＰＵ
【手続補正３４】
【補正対象書類名】図面
【補正対象項目名】図１４
【補正方法】変更
【補正の内容】
【図１４】
2004269252.tif 000001
【手続補正３５】
【補正対象書類名】図面
【補正対象項目名】図２２
【補正方法】変更
【補正の内容】
【図２２】
2004269252.tif 000002
【手続補正３６】
【補正対象書類名】図面
【補正対象項目名】図２６
【補正方法】変更
【補正の内容】
【図２６】
2004269252.tif 000003